(57)【要約】【課題】簡単かつ費用効率を高め、固定部品と回転部品との間で油を移送する。【解決手段】角度的に固定されたやり方で定められた移動の自由を伴って固定部品（１８）に結合されているフローティング部品（２０）は、油口（２９）を回転部品（１９）の内側チャンバに連通させて間に環状溝を伴って非接触構成で回転部品（１９）の外側円筒状表面（８８）へ適合される円筒状表面（８７）を備え、溝の両側は、フローティング部品と回転部品（２０、１９）の円筒状表面（８７、８８）間で半径方向空隙におけるオイルフィルムによってシールされ、このユニットは、複数の凹部を有し、この複数の凹部は、フローティング部品（２０）によって外側で定められるとともに回転部品（１９）によって内側で定められ、半径方向空隙に関して半径方向距離を局所的に拡大するように溝（９０）の軸方向両側に配置され、回転部品（１９）によって内側で閉じられている。【選択図】図８
2017194157.tif 000002
【特許請求の範囲】
【請求項１】
−  油口（２９）を備えた固定部品（１８）と、
−  内側チャンバ（９５）、および軸（７）に沿って延びる外側円筒状表面（８８）を有する回転部品（１９）と、
−  非接触構成を定めるように半径方向空隙を伴って前記外側円筒状表面（８８）に適合されているとともに、対向した縁部（９２）で軸方向に終わる円筒状表面（８７）を有するフローティング部品（２０）であって、前記軸（７）を中心にして角度的に固定された位置で定められた移動の自由を伴って前記固定部品（１８）に結合されているフローティング部品（２０）と、
−  前記回転部品（１９）および前記フローティング部品（２０）によって定められ、前記油口（２９）および前記内側チャンバ（９５）と恒久的に連通する環状溝（９０）であって、使用時に、前記半径方向空隙は、前記溝（９０）の各側をシールするオイルフィルムを定める環状溝（９０）と
−  を備えた油移送ユニット（１）において、
前記フローティング部品（２０）によって外側で定められるとともに前記回転部品（１９）によって内側で定められ、前記フローティング部品（２０）と前記回転部品（１９）との間の半径方向距離を局所的に拡大するように前記溝（９０）の軸方向両側に配置され、前記回転部品（１９）によって内側で閉じられている複数の凹部（９１）を備えることを特徴とする、油移送ユニット（１）。
【請求項２】
−  前記凹部（９１）は、前記溝（９０）から軸方向に離間しているとともに前記縁部（９２）から軸方向に離間していることを特徴とする、請求項１記載の油移送ユニット。
【請求項３】
−  前記凹部（９１）は、前記溝（９０）の中央平面に対して対称であることを特徴とする、請求項１または２記載の油移送ユニット。
【請求項４】
−  前記凹部（９１）は２つの環状列に沿って配列され、それぞれは前記溝（９０）の対応する側に配置されることを特徴とする、請求項３記載の油移送ユニット。
【請求項５】
−  前記溝（９０）の各側で、前記凹部（９１）は、互いから離間していることを特徴とする、請求項１乃至４のいずれか１項記載の油移送ユニット。
【請求項６】
−  前記溝（９０）の各側に、前記凹部（９１）は、互いから角度的に離間していることを特徴とする、請求項５記載の油移送ユニット。
【請求項７】
−  前記凹部（９１）は、前記円筒状表面（８７）の中に作製されたそれぞれのポケットによって外側で半径方向に定められるとともに、前記外側円筒状表面（８８）によって内側で半径方向に定められることを特徴とする、請求項１乃至６のいずれか１項記載の油移送ユニット。
【請求項８】
−  前記フローティング部品（２０）は、
−  前記油口（２９）と恒久的に連通する環状チャンネル（４３）と、
−  前記チャンネル（４３）を前記溝（９０）と恒久的に連通させる少なくとも１つの半径方向穴（８９）と、
−  前記チャンネル（４３）を前記凹部（９１）と恒久的に連通させるとともに前記少なくとも１つの半径方向穴（８９）とは別物である複数の通路（９４）と
を有することを特徴とする、請求項１乃至７のいずれか１項記載の油移送ユニット。
【請求項９】
−  前記凹部（９１）は、前記軸（７）を中心にして周方向に沿って長くなっているそれぞれの弧状部分（９１ａ）と、前記弧状部分（９１ａ）から前記溝（９０）に向けて軸方向に延びるそれぞれの軸方向分岐部（９１ｂ）とを備え、前記通路（９４）は、さらなる半径方向穴によって定められることを特徴とする、請求項８記載の油移送ユニット。
【請求項１０】
−  前記凹部（９１）は、前記軸（７）を中心にして周方向に沿って長くなっているそれぞれの弧状部分（９１ａ）と、前記溝（９０）に向けて前記弧状部分（９１ａ）の軸側に作製されたそれぞれの凹部（９１ｃ）とを備え、前記通路（９４）は、傾斜した穴によって定められることを特徴とする、請求項８記載の油移送ユニット。
【発明の詳細な説明】
【技術分野】
【０００１】
本発明は、固定部品と回転部品との間で油を移送するための油移送ユニットに関する。詳細には、以下の説明は、タービンエンジン内のエピサイクリックトランスミッションの回転式遊星キャリアへ潤滑油を供給するための油移送ユニットに言及するが、この明示された言及のために一般性を失うことはない。
【背景技術】
【０００２】
知られているように、エピサイクリックトランスミッションは、太陽歯車と、リング歯車と、太陽歯車とリング歯車との間に位置しキャリアによって支持される複数の遊星歯車とを備える。そのようなタイプのトランスミッションは、異なる速度で回転する同軸シャフト間の運動を伝達することができ、小さい重量および体積を維持しつつそのような機能を提供するのにとても有効である。エピサイクリックトランスミッションは、（いわゆるターボファンエンジンにおける）ファン、または（いわゆるターボプロペラエンジンにおける）プロペラを駆動するために、航空用タービンエンジンに幅広く使用されている。
【０００３】
大部分の応用では、キャリアは、静的なタイプであり、可撓性要素によってエンジンの固定フレームに結合される。これらの条件の下で、キャリア（遊星歯車、場合によっては転がり軸受など）によって支持された構成要素は、エンジンフレームおよびキャリアに対して固定されるダクトを介して特別困難なく注油される。
【０００４】
他方で、ある種の応用は、例えば、キャリアが回転被駆動シャフトに接続されているとき、または太陽歯車とリング歯車との間、または代替としてキャリアとリング歯車との間の速度比を連続的に制御することが必要であるとき、回転キャリアを用いる。詳細には、エピサイクリックトランスミッションの構成は、リング歯車が固定でありかつキャリアが回転式であるとき「遊星」と呼ばれ、全ての３つの要素、すなわち、太陽歯車、リング歯車、およびキャリアが回転しているとき「差動装置」と呼ばれる。
【０００５】
これらの場合には、油移送ユニットは、一般に、固定部品からキャリアに接続された回転部品まで効率的で信頼できるやり方で潤滑油を伝達するように与えられる。そのような油移送ユニットは、一般に、「油移送軸受」または「回転式継手」として知られている。特に、ユニットは、キャリアに固定されたスリーブによって定められる環状チャンバに圧力下で油を供給する。そのような環状チャンバにより、加圧油は、潤滑を必要とする構成要素に向けて流れる。
【０００６】
米国特許第８，８１３，４６９（Ｂ２）号は、請求項１の前提部に相当し、環状チャンネルを有する軸受を有した油移送ユニットであって、潤滑油が流れ、シーリングリングに接触することなくスリーブの外側円筒状表面に取り付けられる油移送ユニットを開示する。
【０００７】
スリーブの外側円筒状表面は、そのようなチャンネルを内側環状チャンバと連通させるように環状チャンネルの同じ軸方向位置に配置された半径方向通路を有する。最小半径の空隙は、軸受の内側円筒状表面とスリーブの外側円筒状表面との間に設けられ、それによってスリーブの回転を可能にし、その間にシールを定める。
【０００８】
そのような半径方向の空隙の量は、設計段階において正確に決定され、漏れを最小にし、したがって油の移送のために体積効率を最大にするようになっている。その間に軸受およびスリーブの嵌合する円筒状表面は、設計段階で定めておいた半径方向空隙を確実にするために、高い精度レベルで機械加工されなければならなかった。
【０００９】
この種の解決策は、それが軸受の円筒状表面とスリーブとの間の接触軸受、接触シーリングリングの配置を避けるので特に有利である。
【００１０】
しかしながら、固定性のない動作状態が、上述の円筒状表面間の半径方向空隙においてオイルフィルムに生じ得る。そのような固定性のない動作状態は、半径方向空隙について確立された設計設定を変える。
【００１１】
詳細には、円筒状表面間のオイルフィルムの半径方向幅は、ゼロの値に達するまで減少することができ、それによって一方の円筒状表面を他方の円筒状表面に対して移動させている間にそのような円筒状表面間で接触が生じる。これらの可能性のある接触は、摩耗の深刻な原因であり、軸受のスリーブへの焼き付きを引き起こしさえもし得る。
【００１２】
これらの望ましくない現象は、軸受に対する半径方向の荷重が比較的低いとき、および／または軸受の円筒状表面の軸方向のサイズと直径との間が比較的低い比であるとき、より生じやすく、特に関連している。実際、この場合には、半径方向空隙におけるオイルフィルムの減衰能力は比較的低い。例によって、この特定のサイズの比は、米国特許第８，８１３，４６９（Ｂ２）号に示された解決策にも見ることができる。
【００１３】
したがって、動作中の外側軸受と内側回転スリーブとの間で接触する危険を制限するように、前述した半径方向空隙におけるシールでのオイルフィルムの動作状態の安定性をより高くするために、知られているタイプの油移送ユニットを改善する必要性が感じられる。
【００１４】
本発明の目的は、簡単かつ費用効率が高いやり方で上述した必要を満たすことを可能にする固定部品と回転部品との間で油を移送するための油移送ユニットを提供することである。
【先行技術文献】
【特許文献】
【００１５】
【特許文献１】米国特許第８，８１３，４６９号公報
【発明の概要】
【課題を解決するための手段】
【００１６】
本発明によれば、請求項１に定められるように、固定部品と回転部品との間で油を移送するための油移送ユニットが提供される。
【００１７】
次に、本発明を、添付図面を参照して説明する。この添付図面は、本発明の限定するものではない実施形態を示す。
【図面の簡単な説明】
【００１８】
【図１】本発明による固定部品と回転部品との間で油を移送するための油移送ユニットの好ましい実施形態を含むタービンエンジンの部分断面図に対応する図である。
【図２】図１の油移送ユニットの正面図である。
【図３】図１の油移送ユニットの回転部品を拡大スケールで示す斜視図である。
【図４】油移送ユニットの他の部品の異なるスケールにおける異なる斜視図である。
【図５】油移送ユニットの他の部品の異なるスケールにおける異なる斜視図である。
【図６】拡大スケールであり、明確にするために要素を取り除いた、図２の細部を示す図である。
【図７ａ】拡大スケールであり、図２の断面ＶＩＩＩ−ＶＩＩＩによる断面である、本発明による移送ユニットの一部の細部を示す図である。
【図７ｂ】異なるスケールで図７ａの部品のそれぞれの変形例を示す図である。
【図７ｃ】異なるスケールで図７ａの部品のそれぞれの変形例を示す図である。
【図８】図２の断面ＶＩＩＩ−ＶＩＩＩによる拡大スケールの断面図である。
【発明を実施するための形態】
【００１９】
図１の図を参照すると、参照符号１は、固定部品と回転部品との間で油を移送するための油移送ユニットを示す。この特定の好ましい実施形態において、ユニット１は、（部分的かつ概略的に示された）タービンエンジン２に取り付けられ、エピサイクリックトランスミッション５の部品を定める回転式遊星キャリア４に向けて潤滑油を供給するために使用される。詳細には、図１に示されたエンジン２は、「オープンロータ」として一般に知られている種類のものであり、軸７を中心にして逆方向に回転する２つのプロペラ６を備える。
【００２０】
トランスミッション５は、軸７を中心にして回転しタービンによって駆動されるように入力シャフト９に接続されている太陽歯車８と、太陽歯車８と噛み合いキャリア４によって支持され軸７に対して平行かつそれに対して偏心しているそれぞれの軸を中心にして回転する複数の遊星歯車１２と、太陽歯車８と同軸かつ外側で遊星歯車１２と噛み合うリング歯車１５とを備える。
【００２１】
リング歯車１５およびキャリア４は、シャフト９と同軸であり対応するプロペラ６を駆動するそれぞれの出力部材１６および１７に角度的に固定されたやり方で接続されている。
【００２２】
エピサイクリックトランスミッション５用にまさに説明された特定の差動装置構成、およびエンジン２用に示されている特定のオープンロータ構成は、他の種類のエピサイクリックトランスミッションおよび／またはエンジン、あるいは油供給を必要とする他の種類の装置に本発明によるユニット１を使用することを除外しない。例によって、ユニット１は、回転式油圧アクチュエータまたはシステムへ、特に（ＰＣＭ、すなわちピッチ制御機構として一般に知られている）プロペラブレードのピッチ角を調整するように制御されたアクチュエータへ油を供給するのに使用されることが有利であり得る。
【００２３】
図１に示された概略拡大図を参照すると、以下より詳細にそれが説明されるように、ユニット１は、エンジン２の支持構造に対して固定された固定部品１８と、キャリア４に対して同軸かつ角度的に固定された回転部品１９と、部品１８から部品１９へ油を移送し部品１８に対してのその移動がある自由度を有するように構成された非回転式フローティング部品２０とを備える。
【００２４】
部品１８の支持に関する限り、好ましくは、部品１８は、転がり軸受によってシャフト９ならびに出力部材１６および１７を支持するいわゆる中間固定フレーム２６に直接固定される。詳細には、部品１８は、フレーム２６にボルト締めされた１つまたは複数のフランジ２１を備える。
【００２５】
部品１８は、内側環状チャンネル２８（図８）と、１つまたは複数の流入口２９とを有し、流入口２９は、そのようなチャンネル２８の中に油を供給するために、エンジン２の油圧系３０から加圧油を受け取り、チャンネル２８と恒久的に連通する。
【００２６】
図８を参照すると、好ましくは、部品１８は２つの環状要素３３および３４を備え、この環状要素３３および３４は、互いに固定され、軸７に対して外側位置および内側位置にそれぞれ配置される。詳細には、要素３３、３４は、それぞれのフランジ３５（図５）および３６（図４）を備え、これらは、軸７を横切り、互いに軸方向に支えており、互いにボルト締めされる。図５に示されるように、フランジ２１は、好ましくはフランジ３５から突き出て要素３３と一体にされているそれぞれの突出部３７の部品を定める。その上、詳細には、流入口２９は、要素３３から半径方向かつ外側に突き出て要素３３と一体にされている突出部３８によってやはり定められる。
【００２７】
図８に示されるように、要素３３および３４は、液密性を確実にするためにチャンネル２８の軸方向両側に配置されているシーリングリング４１によって互いに結合される。とにかく、他の種類の構築物（図示せず）は、部品１８を定めるように与えられ得る。例によって、部品１８は、付加製造技法によって一部品で製造することができる。
【００２８】
チャンネル２８は、１つまたは複数の油移送チューブ４５を介して部品２０の環状チャンネル４３と恒久的に連通し、それぞれは２つの対向したヘッド４６、４７で半径方向に終わる。ヘッド４６は、要素３４に液密のやり方で結合され、一方、ヘッド４７は、部品２０に液密のやり方で結合されている。ヘッド４６および４７は、それぞれの円筒状表面５０および５１を有するそれぞれの円柱状シート４８および４９を係合する。
【００２９】
好ましくは、図４に示されるように、ユニット１は、軸７に対して直径に沿って反対側の位置に配置された２つだけのチューブ４５を備える。
【００３０】
図８を再び参照すると、ヘッド４６および４７の外側表面は、それぞれのシーリングリング５３、５４によってかつチューブ４５がシート４８、４９の軸に沿って摺動する自由を与えるように内表面５０および５１に結合される。加えて、ヘッド４６および４７の外側表面は、表面５０および５１の内径よりも小さいそれぞれの直径を有し、シート４８および４９の軸に対して半径方向にヘッド４６、４７と表面５０および５１との間に環状空隙を残すようになっている。そのような空隙は、シーリングリング５３、５４によって閉じられ、部品１８および２０に対しての接線方向を中心にした回転においてチューブ４５にある自由度を可能にする。
【００３１】
チューブ４５に与えられる移動の自由によって、部品２０は部品１８に対して浮くことが可能であるが、シーリングリング５３および５４はそのような移動中に弾性的に変形し表面５０、５１と接触し続けるので、シート４８および４９におけるシーリングを弱めない。
【００３２】
ユニット１の好ましい態様によれば、表面５０の直径は、表面５１の直径とは異なり、好ましくは表面５１の直径より高い。チャンネル２８および４３ならびにチューブ４５の油圧のために、直径のこの差は、部品２０および軸７に向けてチューブ４５にスラストを発生させる。その間に、シート４９は、表面５１に接合されヘッド４７の端面５６のためのストップショルダを定める表面５５を有し、したがって、これは表面５５に恒久的に基礎をおく。表面５５および５６の形状は、部品２０に対して接線方向についてヘッド４７の回転を可能にするために、円形の理論的な線での接触を定めるように設計されている。例によって、表面５５は円錐形として形成され、表面５６はチューブ４５の軸上に配置される中心を有する球面として形成される。好ましくは、チューブ４５の軸に沿って、そのような中心は、フローティング部品２０に対してのチューブ４５の位置合わせ不良が存在するときにシールの弾性変形によって発生する反作用モーメントを最小にするために、シーリングリング５４の中央平面に配置される。
【００３３】
好ましくは、シーリングリング５３および５４は、それぞれのいわゆる動的シールを定め、これは、大きい位置合わせ不良が存在するときにチューブ４５からの漏れを防ぎ、動的状態においてチューブ４５の内表面上で連続的に摺動することに関して大きい抵抗を有するように設計されている。
【００３４】
好ましくは、シーリングリング５３および５４の断面における外側輪郭の形状は、相対運動中のゴムシールのスパイラルモード故障およびゴムはみ出しを防ぐように台形形状またはＤ形状である。第２に、上記形状は、ヘッド４６、４７の回転をより容易に得ることに役立つ。図２および図６に示されるように、軸７を中心とした部品２０の回転は、部品２０が部品１８に関しての設計基準位置に配置されるとき、軸７に対して接線方向に延びる直線の軸を有する接続ロッド６０によって防がれる。
【００３５】
好ましくは、接続ロッド６０の軸は、チューブ４５に平行に配置される。この向きは、部品２０の所与の浮遊移動についてそれぞれのシート４８、４９におけるヘッド４６、４７の摺動移動および回転移動の振幅を最小にすることを可能にし、それによってチューブ４５の変位および位置合わせ不良を最小にし、したがってゴムシール（５３および５４）のはみ出しの危険を最小にする。
【００３６】
接続ロッド６０は、互いに固定された異なる部品で作製されてもよく、または単一部品として作製されてもよい。好ましくは、接続ロッド６０は、２つの反対側端部を有し、この２つの反対側端部は、それぞれの球面ジョイント６３によって部品１８および２０に接続される。接続ロッド６０の各端における球面ジョイント６３の用意は、軸７に対しての部品２０についての軸方向並進の自由度を確かなものにし、回転の自由度だけではない。
【００３７】
本発明の好ましい態様のように、図４および図５を参照すると、部品２０の浮遊移動は、部品１８に対して固定されているショルダ７０、７１を用意することで設計段階中に確立された所与の範囲下に限定され、部品２０の軸方向両側に配置され、部品２０に軸方向に面している。好ましくは、ショルダ７１も、（図８にそれが見られ得るように）部品２０に半径方向に面している。
【００３８】
ショルダ７０、７１は、軸７を中心にして互いから離間しているそれぞれの一連のタブ７２および７３によって定められている。好ましくは、タブ７２の角度位置は、軸７を中心にしてタブ７３の角度位置に対して互い違いにされる。
【００３９】
好ましくは、タブ７２および７３は、管状リング７４の両縁部から半径方向内側へ突出し、要素３４の部品を定める。そのような縁部の一方は、タブ７２、７３を支持するために、中間環状壁７５によってフランジ３６へ外側で接合される。チューブ４５ごとに、リング７４は、そのようなチューブ４５によって係合された対応する半径方向通路７６を有する。
【００４０】
部品２０が部品１８に対して設計基準位置に配置されるとき、軸方向空隙と半径方向空隙は、ショルダ７０、７１と部品２０との間に設けられ、設計段階中に確立された所望の浮遊移動を可能にし、したがってユニット１の最適な動作条件を確実にするようになっている。一方で、ユニット１の組立て中、ショルダ７０、７１は、半径方向および／または軸方向に部品２０と接触することができ、部品１８と部品２０との間の相対移動を制限するようになっている。このようにして、ユニット部品の組立ておよびユニット１のエンジン２への取り付けは、より簡単で、損傷のリスがなく、より安全である。
【００４１】
図８に好ましい実施形態として示されたものによれば、部品２０は、主本体８０を備え、この主本体８０は、チャンネル４３の外側表面を定める環状部分８１と、チューブ４５ごとに、シート４９を定める対応する外側半径方向突出部８２とを備える。詳細には、突出部８２の各々は、対応するタブ７３に軸方向に面する。
【００４２】
部品２０は、好ましくは本体８０とは別個の、本体８０に対して固定された部品によって定められたブッシュまたは環状パッド８３をさらに備える。詳細には、パッド８３は、本体８０の半径方向突出部８４と保持リング８５との間に軸方向に挟まれ、この保持リング８５は、突出部８４の反対側の軸方向側で本体８０に軸方向に基礎をおきそれに固定されている。
【００４３】
パッド８３は、チャンネル４３の内表面を定め、液密性を確実にするためにチャンネル４３の軸方向両側に配置されたシーリングリング８６によって本体８０に結合されている。
【００４４】
パッド８３は、非接触構成において、すなわちそれらの間に任意の追加の接触シーリング要素および任意の接触軸受もなく、半径方向空隙を伴って部品１９の外側円筒状表面８８に直接面し適合される円筒状表面８７を有する。パッド８３は、１つまたは複数の半径方向穴８９を有し、チャンネル４３を環状溝９０と恒久的に連通させており、この環状溝９０は、パッド８３によって外側で定められるとともに部品１９によって内側で定められ、表面８７および／または表面８８を２つの分離された区域に軸方向に分割する。
【００４５】
表面８７、８８間の半径方向空隙のサイズは、部品１９の回転を可能にするように設計段階中に定められ、その間に、表面８７、８８間の溝９０の各側に（すなわち、表面８７、８８の２つの分離された区域の各々に）オイルフィルムを用いた静水圧型シールを定める。表面８７、８８は、設計段階中に定められている回転状態とシール状態の両方を確実にするために、高レベルの精度および少ない公差で機械加工されなければならない。
【００４６】
図７ａを参照すると、本発明の一態様によれば、ユニット１は複数の凹部９１を有し、複数の凹部９１は、パッド８３によって外側で定められるとともに部品１９によって内側で定められ、溝９０の軸方向両側に配置され、溝９０から軸方向に離間しているとともに表面８７の外側端円形縁部９２から離間している。
【００４７】
凹部９１は、設計段階中に定められる適切な区域内で表面８７、８８間の半径方向空隙を中断させるまたは変更させるそれぞれの油ハウジングまたは油ピットを定めるように半径方向空隙のサイズに比べてパッド８３と部品１９との間の半径方向距離を突然かつ局所的に拡大するということが図面から明らかである。
【００４８】
凹部９１は、部品１９によって内側で閉じられており、そのため、縁部９２にある円形出口から離間した凹部９１内に収容されている油の出口はない。凹部９１内に収容された油の量がより大きくなると、軸方向または周方向のいずれかにオイルフィルム内の圧力分布が変わる。
【００４９】
そのような変更は、一方では、縁部９２から外へくる油漏れの量を減少させるのに役立ち、他方では、部品１９の回転中に部品２０を支えるのに役立つ。詳細には、そのような変更は、動作中に表面８７と表面８８との間で接触する危険を制限するのでシールの安定を向上させるのに役立つ。
【００５０】
好ましくは、凹部９１は、溝９０の中央平面に対して対称であり、表面８７、８８間に閉じ込められた油によって実行されるシール機能と軸受機能との対称的な挙動を有するようになっている。詳細には、凹部９１は、溝９０に対して対称である２つの環状列に沿って配列される。
【００５１】
好ましくは、各列に沿って、すなわち、溝９０の各側で、対応する凹部９１は、軸７を中心にして凹部９１を互い違いにしているいくつかのセクタ９３（図７ｃ）において溝９０から対応する縁部９２まで表面８７、８８間で定められた半径方向空隙の連続性を維持するように互いから角度的に離間している。詳細には、各列に沿って、凹部９１は等しく間隔をおいて配置されている。
【００５２】
添付図面に示された好ましい実施形態によれば、凹部９１は、パッド８３の表面８７の中に作製されたそれぞれのポケットによって外側で半径方向に定められるとともに、部品１９の円筒状表面８８によって内側で半径方向に定められる。図７ａおよび図７ｂの実施形態のように、この配置は、製造がより容易であり、凹部９１へ油を簡単に供給することを可能にするので有利である。代替としてまたはこの構成と組み合わせて、凹部９１は、表面８８に作製されたポケット（図示せず）によって定められてもよい。
【００５３】
上述したような図７ａおよび図７ｂの実施形態によれば、凹部９１は、通路９４が設けられていない図７ｃに示された解決策に比べて凹部９１に収容された油の背圧を増大させるようにパッド８３に作製された通路９４を通じてチャンネル４３から加圧油が供給される。一般に、通路９４は、較正された断面を有し、静水圧型軸受に適切な条件を発生させることによって軸受機能を受動的に制御する要素を定める。
【００５４】
図７ｂの実施形態では、凹部９１は、軸７を中心にして周方向に沿って長くなっているそれぞれの弧状部分９１ａと、部分９１ａから溝９０に向けて軸方向に延びるそれぞれの軸方向分岐部９１ｂとを備える。一方で、通路９４は、半径方向にあり軸方向分岐部９１ｂの中に開いているそれぞれの穴によって定められている。
【００５５】
他方、図７ａの実施形態では、凹部９１は、軸７を中心にして周方向に沿って長くなっているそれぞれの弧状部分９１ａと、溝９０に向けて軸側に作製されたそれぞれの凹部９１ｃとを備える。一方で、通路９４は、半径方向および軸方向に対して傾斜しており凹部９１ｃの中に開いている穴によって定められる。
【００５６】
純粋に半径方向穴を有する図７ｂの実施形態は、製造技法にとって好ましい。
【００５７】
他方で、図７ａの実施形態は、傾斜した穴によって供給される油がオイルフィルムとあまり相互作用しないので、軸受機能のためのものであることが好ましい。
【００５８】
図７ｃの実施形態は、図７ａおよび図７ｂの実施形態に比べて、より少ない油漏れを可能にし、通路９４を製造することによる可能性ある欠点を有さない（例えば、動作中に放出されてオイルフィルムに流れ込み得る可能性あるデブリ）。
【００５９】
図８を参照すると、部品１９は、内側環状チャンバ９５と、１つまたは複数の半径方向穴９６とを有し、これらは、溝９０の同じ軸方向位置に配置され、チャンバ９５を溝９０と恒久的に連通させる。チャンバ９５は、そのような出口に油を供給し、したがって歯車の噛み合いおよび／または遊星軸受を注油するために、１つまたは複数の出口（図示せず）と恒久的に連通する。
【００６０】
詳細には、チャンバ９５は、液密性を確実にするためにシーリングリング９９（図８）によって互いに結合されている外側スリーブ９７および内側スリーブ９８によって定められる。例によって、スリーブ９７、９８は、ねじ（図示せず）によって互いに固定される。
【００６１】
図３に一部示されるように、部品１９は、キャリア４に固定され、詳細には、スリーブ９７をキャリア４の正面表面に接続するディスク部材１００を備える。部材１００の反対の軸方向側では、部品１９は、複数の軸方向切り欠き１０２を有する正面部分１０１で終わり、この切り欠き１０２は、部分１０１の縁部から始まり、そのような縁部に沿って角度的に間隔をおいて配置され、遠心力のために捕らえられ得る可能性のある油を排出させる機能を有する。
【００６２】
好ましくは、部分１０１は、部品２０が部品１９へ適合され、したがってユニット１の組立作業を簡単にするときにリーディング機能を実行するように、表面８８に接合され上述した縁部に向けて先細りした斜面または面取り箇所１０３によって外側で定められる。
【００６３】
以上より、特許請求の範囲に記載され添付図面を参照して説明したユニット１の利点は明らかなはずである。
【００６４】
詳細には、表面８７、８８間の界面でさらなる接触シーリング要素は使用されず、それによって摩擦、その結果として生じる摩耗、および構成部品の全体の個数は、減少させられる。加えて、詳細に上述したように、凹部９１は、溝９０の軸方向両側で背圧を発生させるように溝９０の両側でシールを定めるオイルフィルムに沿って溝９０と縁部９２との間で提供される。このようにして、部品１９の回転中に部分２０を支えるためにより良い動作状態が提供され、したがって表面８７、８８間の接触の危険を制限する。言い換えれば、溝９０の両側でオイルフィルムについてより安定した挙動に到達する。
【００６５】
加圧油が通路９４を通じて凹部９１の中に供給される図７ａおよび図７ｂの実施形態において特に安定した状態に到達し、そのため、凹部９１内に収容された油は、より高い圧力を有する。この場合には、凹部９１は、部品１９の回転中に部品２０と部品１９との間で静水圧型軸受の機能を実行する。
【００６６】
添付の特許請求の範囲によって定められる保護の範囲から逸脱することなく、修正および変形がユニット１になされてもよいことは、上記の特徴および考慮事項から明らかである。
【００６７】
詳細には、上述したように、ユニット１は、上述したものとは異なるようにフレーム２６および／またはキャリア４に取り付けられてもよく、および／またはエピサイクリックトランスミッションとは異なる応用に用いられてもよい。おそらく、他の応用では、部品１９は、部品１８に対して回転移動に加えて摺動移動を有することができる。その上、ユニット１は、回転部品２０から固定部品１８へ油を移送するために使用されてもよい。
【００６８】
さらに、口２９と出口との間の通路および導管の形状、個数、および／または構成は、添付図面を参照して説明したものと異なる場合がある。
【符号の説明】
【００６９】
１  油移送ユニット、ユニット
２  タービンエンジン、エンジン
４  回転式遊星キャリア、キャリア
５  エピサイクリックトランスミッション、トランスミッション
６  プロペラ
７  軸
８  太陽歯車
９  入力シャフト
１２  遊星歯車
１５  リング歯車
１６  出力部材
１７  出力部材
１８  固定部品、部品
１９  回転部品、部品
２０  非回転式フローティング部品、部品
２１  フランジ
２６  中間固定フレーム、フレーム
２８  内側環状チャンネル、チャンネル
２９  流入口、油口
３０  油圧系
３３  環状要素、要素
３４  環状要素、要素
３５  フランジ
３６  フランジ
３７  突出部
３８  突出部
４１  シーリングリング
４３  環状チャンネル、チャンネル
４５  油移送チューブ、チューブ
４６  ヘッド
４７  ヘッド
４８  円柱状シート、シート
４９  円柱状シート、シート
５０  円筒状表面、内表面、表面
５１  円筒状表面、内表面、表面
５３  シーリングリング、ゴムシール
５４  シーリングリング、ゴムシール
５５  表面
５６  端面、表面
６０  接続ロッド
６３  球面ジョイント
７０  ショルダ
７１  ショルダ
７２  タブ
７３  タブ
７４  管状リング、リング
７５  中間環状壁
７６  半径方向通路
８０  主本体、本体
８１  環状部分
８２  外側半径方向突出部、突出部
８３  ブッシュまたは環状パッド、パッド
８４  突出部
８５  保持リング、リング
８６  シーリングリング、リング
８７  円筒状表面、表面
８８  外側円筒状表面、表面
８９  半径方向穴
９０  環状溝、溝
９１  凹部
９２  外側端円形縁部、縁部
９３  セクタ
９４  通路
９５  内側環状チャンバ
９６  半径方向穴
９７  外側スリーブ、スリーブ
９８  内側スリーブ、スリーブ
９９  シーリングリング
１００  ディスク部材、部材
１０１  正面部分、部分
１０２  軸方向切り欠き
１０３  斜面または面取り箇所
【図１】
2017194157.tif 000003
【図２】
2017194157.tif 000004
【図３】
2017194157.tif 000005
【図４】
2017194157.tif 000006
【図５】
2017194157.tif 000007
【図６】
2017194157.tif 000008
【図７ａ】
2017194157.tif 000009
【図７ｂ】
2017194157.tif 000010
【図７ｃ】
2017194157.tif 000011
【図８】
2017194157.tif 000012
【外国語明細書】
2017194157000001.pdf